(57)【要約】骨盤床筋群を鍛えたり膣筋などの感覚の開発訓練が行えるようなマッサージ具に関して、振動刺激とは異なる刺激を与えたり、膣への挿着が確実に行われて押し出されることがなく、手で支持しておく必要がないような、新規なマッサージ具を提供したい。  筐体１に電動モータ２が収められており、筐体１の先に往復部材３が往復動可能に設けられており、電動モータ２のシャフトの回転を往復部材３の往復運動に替えるベーベルギヤ２０，２１とクランク３１とコネクティングロッド３２とから成る運動変換器を内蔵し、左右の太ももに止めるための、筐体１から延設した左側の上腕１１と下腕１３との間に左ベルト６をまた右側の上腕１２と下腕１３との間に右ベルト６０を備え、筐体１の下部を床面に接地させるための接地部１０を備えた、往復運動を行うマッサージ具とした。
2016056666.tif 000002
【特許請求の範囲】
【請求項１】
筐体内に電動モータが収められており、筐体の先に往復部材が往復動可能に設けられており、前記電動モータのシャフトの回転を前記往復部材の往復運動に替える運動変換器を内蔵するマッサージ器であって、前記筐体の、前記往復部材の手前で上下の位置に、前記筐体からの分岐部が身体に添うように設けられており、前記筐体を身体に固定するための固定用ベルトが、前記上下の分岐部間を左右１対となるように掛け渡されていると共に、前記筐体は床面に接地可能な接地面を備えていることを特徴とする、往復運動を行うマッサージ具。
【請求項２】
更に前記往復部材に振動発生器が内蔵されており、この振動発生器は、振動発生用電動モータとこの振動発生用電動モータのシャフトに偏心状態で取り付けられた錘とから成るものである、請求項１に記載の往復運動を行うマッサージ具。
【請求項３】
更に前記分岐部に分岐部用の振動発生器が内蔵されており、この分岐部用の振動発生器は、振動発生用電動モータとこの振動発生用電動モータのシャフトに偏心状態で取り付けられた錘とから成るものである、請求項１に記載の往復運動を行うマッサージ具。
【請求項４】
前記筐体の先に前記往復部材が、前記筐体に対して着脱自在に設けられている、請求項１に記載の往復運動を行うマッサージ具。
【発明の詳細な説明】
【技術分野】
【０００１】
この発明は、先端部分に設けた往復部材の往復運動によって新感覚の刺激を与えることが出来る感覚開発訓練用具としてのマッサージ具に係り、特に腟のような器官に挿着してこれを内側から刺激して骨盤床筋や膣筋を鍛えるのに好適なマッサージ具に関する。
【背景技術】
【０００２】
従来より、特に腟壁に挿着して使用する略陰茎形状のマッサージ具として、単純構造の棒状のものや、電動モータとこの電動モータのシャフトに偏心状態で取り付けられた錘とから成る振動発生器（バイブレータ）を内蔵する棒状のものなどがあった。特表２００３−５１４６０８号は、膣または直腸に挿着するプローブ内にバイブレータ
を備えた骨盤床筋を鍛錬するための装置であって、バイブレータによる骨盤床筋の収縮が起こったら、プローブ内のセンサによって収縮の力を計測することで、骨盤床筋を鍛錬しようと言うものであり、尿失禁または便失禁の治療または予防のために用いられるものである。
【先行技術文献】
【特許文献】
【０００３】
【特許文献１】特表２００３−５１４６０８号公報
【発明の概要】
【発明が解決しようとする課題】
【０００４】
ところが上述したような単純構造の棒状のものでは挿着感しか与えることが出来ない。また内部に振動発生器を内蔵するものでは振動刺激しか与えることが出来ない。また特表２００３−５１４６０８号のプローブは単に膣や直腸に挿着するだけのものであるから、骨盤床筋の収縮によって膣や直腸から押し出されることがあり、挿着が確実に行われない問題がある。
そこで当発明者は、腟のような器官に挿着しこれを内側から刺激して骨盤床筋群を鍛えたり、膣筋などの感覚の開発訓練に当たって振動刺激とは異なる刺激を与えたり、膣への挿着が確実に行われて押し出されることがないような、これまでにはないマッサージ具を提供したいものと考えた。
【課題を解決するための手段】
【０００５】
上記課題の解決に先立ち当発明者は、上記プローブを棒状のものに形成してこれを両手で支え持つようにすれば、挿着状態が確実に維持されて膣器官から押し出されることがないと言う知見を得た。しかしながら治療や訓練の間ずっと、膣器官に挿着したそれなりに重量のある棒状のものをそのままの状態で支え続けるのは苦痛であり、治療や訓練に集中出来ず、訓練を続けることが難しいことが分かった。すなわち、このような新たな課題の解決を迫られたのである。
上記課題は、筐体内に電動モータが収められており、筐体の先に往復部材が往復動可能に設けられており、前記電動モータのシャフトの回転を前記往復部材の往復運動に替える運動変換器を内蔵するマッサージ器であって、前記筐体の、前記往復部材の手前で上下の位置に、前記筐体からの分岐部が身体に添うように設けられており、前記筐体を身体に固定するための固定用ベルトが、前記上下の分岐部間を左右１対となるように掛け渡されていると共に、前記筐体は床面に接地可能な接地面を備えていることを特徴とする、往復運動を行うマッサージ具とすることによって達成される。なお電源スイッチ部や電動モータの往復動制御部は上記筐体に設けるようにしても良い。あるいは例えば筐体とは別にリモコンを付属させてこれに電源スイッチ部や電動モータの往復動制御部を設けるようにしても良い。また電源部には家庭用電源や、ここから充電する二次電池や、乾電池などを用いることが出来る。膣器官に挿着された往復部材は、膣壁を前後に擦るようにして膣や骨盤床筋群に刺激を与えることが出来る。往復部材の往復運動は、電動モータの回転運動を運動変換器に通すことによって得られる。従って従来の振動刺激とは異なる刺激を膣や骨盤床筋群に与えることが出来る。この際に膣壁の収縮が誘発されて往復部材が膣口から押し出されやすくなるが、床に腰を下ろし、この発明のマッサージ具の筐体の先に設けられた往復部材を膣器官に挿着すると、往復部材が設けられた筐体に、床面に接地可能な接地面があることによって接地し、マッサージ具自体を支えることが出来る。またこの際に左右１対の固定用ベルトの、右側のもので右脚の付け根を、左側のもので左脚の付け根を、それぞれ締めるようにしているため、マッサージ具を身体に固定することが出来る。従って膣への挿着が確実に行われて押し出されることがなくなると共に手で支え持つ必要がないから、訓練の間中手放しが出来て楽である。すなわちこの発明のマッサージ具によれば、床面に接地可能な接地面が設けられており、安定した訓練を続けることが可能であるが、身体に固定するための固定用ベルトを使用するようにすることで一層安定度が高くなっている。なお上記固定用ベルトと同様の目的で、前記筐体の底部に床面に吸着するための吸盤を備えるようにしても良い。これによっても訓練の安定度をより高めることが出来るようになる。
ところで膣の訓練と言うと自とく具を思われるやも知れない。しかしながらこの発明のマッサージ具はそのような公序良俗を乱す商品であると考える必要はない。例えば女性が出産を経験すると、膣が閉まりにくくなり、風呂上がりに膣からお湯が出て来る、尿漏れがある、夫婦生活で膣を締めることが出来ず双方に不満が残る、などの現実的かつ深刻な問題を抱えるようになる場合がある。この問題に対処するための膣の訓練が医学誌や女性誌などで繰り返し奨励されている。この発明のマッサージ具は斯様に切実な社会的要請に応えることが出来るのである。一方、日本特許第５２６１３８２号の精子採取装置では、出願人の男性側に於ける同種の主張が認められていることをここに付記する。
次に請求項２の発明は、更に前記往復部材に振動発生器が内蔵されており、この振動発生器は、振動発生用電動モータとこの振動発生用電動モータのシャフトに偏心状態で取り付けられた錘とから成るなるものである。この発明は従来の振動刺激によるマッサージを否定するものではなく、より良い製品を提供しようとするものであるため、上述したこの発明に独自の優れた作用効果に加えて、従来の振動刺激による効果を加味したのである。
次に請求項３の発明は、更に前記分岐部に分岐部用の振動発生器が内蔵されており、この分岐部用の振動発生器は振動発生用電動モータとこの振動発生用電動モータのシャフトに偏心状態で取り付けられた錘とから成るものである。なお錘を用いずに、永久磁石と電磁石との組に成るリニアな振動発生装置を用いるようにしても良い。何れにしてもこれ等は膣の入口の周辺に従来の振動刺激を与えるための手段である。
次に請求項４の発明は、前記筐体の先に前記往復部材が、前記筐体に対して着脱自在に設けられているものである。このようにすることで、往復部材にデザインやカラーや大きさの大小などに違いがあるものを数種類用意しておいて、ユーザーが自分の感性や身体に合うものを適宜選択し得るようにすることが出来るようになる。
【発明の効果】
【０００６】
この発明のマッサージ具によれば、従来の振動刺激とは異なる刺激を往復部材によって膣や骨盤床筋群に与えることが出来、往復部材の膣への挿入が確実に行われて押し出されることがなくなると共に、マッサージ具を手で支え持つ必要がないから訓練の間中手放しが出来て楽である、と言うような効果を奏する。
【図面の簡単な説明】
【０００７】
図１は実施例１の側面視による説明図である。
図２は内部構造の模式的な説明図である。
図３は斜面視による説明図である。
図４電動モータ２周りをブロック図にて表した説明図である。
図５は実施例２のコントローラ５の説明図である。
図６は実施例３の内部構造の模式的な説明図である。
図７は実施例４の内部構造の模式的な説明図である。
【発明を実施するための形態】
【０００８】
【実施例１】
【０００９】
図１乃至図４によりこの実施例のマッサージ具を説明する。共肉と口とその辺りの触手とからなるポリプのような形状を呈する合成樹脂製の筐体１は、接地部１０、左右の上腕１１，１２および下腕１３、この間に蛇腹３３を介して設けた往復部材３とから構成されている。元来この実施例１のマッサージ具では、接地部１０と左右の上腕１１，１２および下腕１３とは不要として、鎖線で表した筐体１’を採用して良いものではあるが、後に述べる実施例３と金型を共通化するために筐体１を採用している。
図２はこの内部構造を模式的に表したものであるが、接地部１０から斜め上方に形成された筐体１内に電動モータ２が収められており、この電動モータ２のシャフトに取り付けられたベーベルギヤ（傘歯車）２０に、水平の回転面を有するベーベルギヤ２１が噛合している。さらにこのベーベルギヤ２１にクランク３１とコネクティングロッド３２とが取り付けられており、このコネクティングロッド３２には水平設置の作動桿３０が連結されて、電動モータ２のシャフトの回転運動が作動桿３０の往復運動に変換されるように構成されている。そしてこの作動桿３０の先側に、膣に挿着される部材である所の往復部材３が取り付けられている。作動桿３０は、筐体１の左右の上腕１１，１２と下腕１３との間に設けた図示しない開口部を通して筐体１の外側に取り出されて、往復部材３が取り付けられるため、作動桿３０の筐体１の外側の部位の露出を避けるべく、上記開口部と往復部材３との間の作動桿３０の周りをベローズ３３で被覆している。さらに左右の上腕１１，１２の各々の端部に１箇所ずつ、また下腕１３の端部に２箇所、通孔１４が開孔されており、左側の上腕１１の通孔１４と下腕１３の左側の通孔１４とに左ベルト６が、また右側の上腕１２の通孔１４と下腕１３の右側の通孔１４とに右ベルト６０が、それぞれ掛け渡されている。すなわち左ベルト６および右ベルト６０は筐体１３を左右の太ももに止めるためのものである。なお図３に表したように、電動モータ２はモータ制御部４によって駆動される。またこれ等には、電源スイッチ２２をＯＮにすることによって、家庭用電源に接続された電源アダプタ４０から電力が供給される。
さて両脚の間にこの実施例のマッサージ具を位置させ、清潔にした往復部材３を膣器官に挿着して、電源スイッチ２２をＯＮにすると、電動モータ２が回転してその回転運動は往復部材３の往復運動となり、この往復部材３が膣壁を前後に擦り膣や骨盤床筋群に刺激を与えることが出来る。この際、筐体１の接地面１０が床に腰を下ろしたユーザーの前の床面に接地しており、このマッサージ具自体の重さは床に支えられているため、安定安全安心の内に使用することが出来るが、これに加えて、左ベルト６で左脚に、また右ベルト６０で右脚に固定することによって、より一層安定度を高くすることが出来るのである。なお図示はしないが、左右のベルト６，６０には長さ調節具が備わっている。
【実施例２】
【００１０】
図５はこの実施例のコントローラ５を表したものである。上述した実施例１では筐体１内にモータ制御部４（図示せず）を設けていたが、これをコントローラ５側に移したのがこの実施例２である。
すなわちこのコントローラ５は、マッサージ具の本体に接続するための電線５５とコンセントに接続するための電線５６とを備え、また電線５６の先には図示しない電源プラグを備えている。符号５０は電源ボタンであり、電源ボタン５０は一度押すとＯＮであり、二度目に押すとＯＦＦとなる言わばトグル式である。ＯＮ時にはＬＥＤの電源ライト５３が点灯する。アップボタン５２とダウンボタン５１との間には、往復部材３の往復運動の早さの段階を示すＬＥＤのインジケータ５４が設けられている。往復部材３の往復運動はアップボタン５２を押すごとに早くなり逆にダウンボタン５１を押すごとに遅くなるように設計されている。すなわちこのような各種制御を行うモータ制御部をコントローラ５は内蔵している。この実施例では、電源ボタン５０、ダウンボタン５１、アップボタン５２にメンブレンスイッチを用いている。なお電源ボタン５０は電源ＯＮ／ＯＦＦのトグル式であるが、さらにこれに往復運動のリズムを切り替えるための機能を付与するようにしても良い。するとリズム往復動の種類ごとにダウンボタン５１とアップボタン５２とを作用させ得る。
【実施例３】
【００１１】
図６によりこの実施例のマッサージ具を説明する。このものはその殆どの構成を上述した実施例１のマッサージ具に倣うものであるが、さらに筐体１の上記分岐部としての左右の上腕１１，１２が合わさる付け根の部分の中に振動発生用の電動モータ７と、この電動モータ７のシャフトに偏心状態で取り付けられた錘７０とから成る振動発生器が設けられている点に特徴を有する。
上腕１１，１２も下腕１３も共に身体に添うように設けられているので、身体に接触して筐体１の安定感をさらに高めることが可能である。
またこの実施例で特徴的なのは、筐体１の先に、着脱部３５を有する作動桿を設けて、この着脱部３５で往復部材３４を着脱自在に取り付けることを可能にした点である。このようにすることで、往復部材３４にデザインやカラーや大きさの大小などに違いがあるものを数種類用意しておいて、ユーザーが自分の感性や身体に合うものを適宜選択し得るようにしたのである。
なお往復部材３４に次に述べるような振動発生器を内蔵するようにしても良い。すなわちこの振動発生器は、振動発生用の電動モータ７と、この電動モータ７のシャフトに偏心状態で取り付けられた錘７０とから成るものである。錘７０を回転させることで強い振動を発生して膣筋を刺激することが出来る。
【実施例４】
【００１２】
図７によりこの実施例のマッサージ具を説明する。このものはその殆どの構成を上述した実施例１のマッサージ具に倣うものであるが、往復部材３００が装着桿３０１を以て着脱座３７に対して着脱自在である点で異なる。上述したコネクティングロッド３２には、往復部材３００を付けたり外したりするための着脱座３７が取り付けられており、この着脱座３７の図６で右側に当たる前面の中央に、後述する装着桿３０１をきつく填めて止めるための着脱溝３８が設けられている。この装着桿３０１は往復部材３００に、往復部材３００の図６で左側に当たる後端部から突出するように内蔵されている。着脱の作業には多少の力が必要であるが、往復部材３００はその装着桿３０１によって着脱座３７の着脱溝３８にしっかりと差し込んで固定することが出来る。この際に往復部材３００の上記後端部が出入りし得るように、筐体１のこの部位に装着口３９が開口されている。なお実施例１のマッサージ具にあったベローズ３３はこの実施例にはない。このような構成であるから形状などが異なる往復部材３００を数種類用意しておけば、これ等を自由に取り替えて使用することが可能になる。
なお、さらに筐体１の上記分岐部としての左右の上腕１１，１２が合わさる付け根の部分の中に振動発生用の電動モータ７と、この電動モータ７のシャフトに偏心状態で取り付けられた錘７０とから成る振動発生器が設けられていると共に、上記付け根の部分の表面で身体に接触する部位に立毛部３６が設けられている。立毛部３６は合成樹脂製の筐体１の成型時に複数の凸部として形成されたものである。従って錘７０の回転振動はこの立毛部３６を介して身体接触部に加えられる。
この他、この発明のマッサージ具に防水性を付与するなどの工夫をすると良い。風呂場での使用にはより好都合である。また筐体を光らせるイルミネーション用のライトを配するようにすると美しい。
【産業上の利用可能性】
【００１３】
この発明のマッサージ具は、医療用のみならず個人の訓練用として構成することが可能である。
【符号の説明】
【００１４】
１  筐体          １’筐体          １０接地部        １１左上腕
１２右上腕        １３下腕          １４通孔
２  電動モータ    ２０ベーベルギヤ  ２１ベーベルギヤ  ２２電源スイッチ
３  往復部材      ３０作動桿        ３１クランク      ３２コネクティングロッド
３３ベローズ      ３４往復部材      ３５着脱部        ３６立毛部
３７着脱座        ３８着脱口        ３８着脱溝        ３９装着口
３００往復部材    ３０１装着桿
４  モータ制御部  ４０電源アダプタ
５  コントローラ  ５０電源ボタン    ５１ダウンボタン  ５２アップボタン
５３電源ライト    ５４インジケータ  ５５電線          ５６電線
６  左ベルト      ６０右ベルト
７  電動モータ    ７０錘
【図１】
2016056666.tif 000003
【図２】
2016056666.tif 000004
【図３】
2016056666.tif 000005
【図４】
2016056666.tif 000006
【図５】
2016056666.tif 000007
【図６】
2016056666.tif 000008
【図７】
2016056666.tif 000009
【国際調査報告】
2016056666.tif 000010
2016056666.tif 000011